(57)【要約】      （修正有）【課題】医用画像の表示形態を容易に元に戻す。【解決手段】医用画像表示装置２０は、表示部２２のビューア画面に医用画像を表示し、このビューア画面に表示させた医用画像の表示形態に関するパラメータ情報を記憶部２５に記憶し、このパラメータ情報をＲＡＭ２６に一時的に記憶する。マウス２４ａは第１のボタンと第２のボタンを備え、マウス２４ａの第１のボタンが選択された場合、マウス２４ａの移動量に応じてＲＡＭ２６に記憶されたパラメータ情報を変更し、この変更されたパラメータ情報に基づいてビューア画面に医用画像を表示する。マウス２４ａの第１のボタンが選択された状態で更に第２のボタンが選択された場合、記憶部２５に記憶されたパラメータ情報をＲＡＭ２６に記憶させ、この記憶させたパラメータ情報に基づいてビューア画面に医用画像を表示する。【選択図】図２
2010142600.tif 000002
【特許請求の範囲】
【請求項１】
医用画像を表示する表示手段と、
前記表示手段に表示された医用画像の表示形態に関するパラメータ情報を記憶する記憶手段と、
前記パラメータ情報を一時的に記憶する一時記憶手段と、
第１のボタンと第２のボタンを備えたマウスと、
前記マウスの第１のボタンが選択された場合、前記マウスの移動量に応じて前記一時記憶手段に記憶されたパラメータ情報を変更させ、当該変更されたパラメータ情報に基づいて前記表示手段に医用画像を表示し、前記マウスの第１のボタンが選択された状態で更に第２のボタンが選択された場合、前記記憶手段に記憶されたパラメータ情報を前記一時記憶手段に記憶させ、当該記憶させたパラメータ情報に基づいて前記表示手段に医用画像を表示する制御手段と、
を備えることを特徴とする医用画像表示装置。
【請求項２】
前記制御手段は、前記マウスの第１のボタンが選択された場合、前記マウスの移動量に応じて前記一時記憶手段に記憶されたパラメータ情報を変更させ、当該変更されたパラメータ情報に基づいて前記表示手段に医用画像を表示し、前記マウスの第２のボタンが選択されずに前記第１のボタンの選択が解除された場合、前記一時記憶手段に記憶されたパラメータ情報を前記記憶手段に記憶させることを特徴とする請求項１に記載の医用画像表示装置。
【請求項３】
前記パラメータ情報は、前記医用画像の階調処理に関わるウィンドウ値、前記医用画像の大きさに関わる拡大縮小値、前記医用画像の任意の２点の距離を示す計測値、又は前記医用画像の表示位置を示すパンニング値のいずれかであることを特徴とする請求項１又は２に記載の医用画像表示装置。
【請求項４】
医用画像を表示する表示手段と、前記表示手段に表示された医用画像の表示形態に関するパラメータ情報を記憶する記憶手段と、前記パラメータ情報を一時的に記憶する一時記憶手段と、第１のボタンと第２のボタンを備えたマウスと、を備えたコンピュータの医用画像を表示する方法であって、
前記コンピュータによって、前記マウスの第１のボタンが選択された場合、前記マウスの移動量に応じて前記一時記憶手段に記憶されたパラメータ情報を変更させ、当該変更されたパラメータ情報に基づいて前記表示手段に医用画像を表示し、前記マウスの第１のボタンが選択された状態で更に第２のボタンが選択された場合、前記記憶手段に記憶されたパラメータ情報を前記一時記憶手段に記憶させ、当該記憶させたパラメータ情報に基づいて前記表示手段に医用画像を表示する工程を有することを特徴とする医用画像表示方法。
【請求項５】
医用画像を表示する表示手段と、前記表示手段に表示された医用画像の表示形態に関するパラメータ情報を記憶する記憶手段と、前記パラメータ情報を一時的に記憶する一時記憶手段と、第１のボタンと第２のボタンを備えたマウスと、を備えたコンピュータを、
前記マウスの第１のボタンが選択された場合、前記マウスの移動量に応じて前記一時記憶手段に記憶されたパラメータ情報を変更させ、当該変更されたパラメータ情報に基づいて前記表示手段に医用画像を表示し、前記マウスの第１のボタンが選択された状態で更に第２のボタンが選択された場合、前記記憶手段に記憶されたパラメータ情報を前記一時記憶手段に記憶させ、当該記憶させたパラメータ情報に基づいて前記表示手段に医用画像を表示する制御手段として機能させることを特徴とするプログラム。
【発明の詳細な説明】
【技術分野】
【０００１】
本発明は、医用画像表示装置、医用画像表示方法、及びプログラムに関するものである。
【背景技術】
【０００２】
医療の分野では、ＣＲ（Computed Radiography）等の撮影装置によって撮影された医用画像を電子データとして記憶するためのシステムが構築されている。読影医や診断医はＰＣ（Personal Computer）の操作を行い、管理サーバから医用画像を取得してモニタに表示させる。医師はモニタに表示された医用画像に対して階調処理や拡大縮小表示等の各種画像処理を施す。
【０００３】
特許文献１には、画像データに付帯するプリセットウィンドウ値を用いて階調処理に関するパラメータを設定することにより、モニタに表示する医用画像の初期表示パラメータを自動的に調整して、医師の操作負担を軽減する技術が記載されている。
【特許文献１】特開平８−２５６９９１号公報
【発明の開示】
【発明が解決しようとする課題】
【０００４】
しかしながら、特許文献１に記載の技術では、モニタに表示させる医用画像の初期表示パラメータを予め設定することはできるが、パラメータ変更のための操作補助をすることはできない。例えば、マウス操作によって一時的に画像処理を行いたい場合や、誤操作により画像処理をしてしまった場合、この医用画像の画像処理をする前の表示状態に戻すためには煩雑な操作を要する。
【０００５】
本発明は上記課題に鑑みてされたものであり、その目的とするところは、医用画像の表示形態を容易に元に戻すことである。
【課題を解決するための手段】
【０００６】
上記課題を解決するため、請求項１に記載の発明は、
医用画像を表示する表示手段と、
前記表示手段に表示された医用画像の表示形態に関するパラメータ情報を記憶する記憶手段と、
前記パラメータ情報を一時的に記憶する一時記憶手段と、
第１のボタンと第２のボタンを備えたマウスと、
前記マウスの第１のボタンが選択された場合、前記マウスの移動量に応じて前記一時記憶手段に記憶されたパラメータ情報を変更し、当該変更されたパラメータ情報に基づいて前記表示手段に医用画像を表示させ、前記マウスの第１のボタンが選択された状態で更に第２のボタンが選択された場合、前記記憶手段に記憶されたパラメータ情報を前記一時記憶手段に記憶させ、当該記憶させたパラメータ情報に基づいて前記表示手段に医用画像を表示する制御手段と、
を備えることを特徴とする。
【０００７】
請求項２に記載の発明は、請求項１に記載の発明において、
前記制御手段は、前記マウスの第１のボタンが選択された場合、前記マウスの移動量に応じて前記一時記憶手段に記憶されたパラメータ情報を変更し、当該変更されたパラメータ情報に基づいて前記表示手段に医用画像を表示させ、前記マウスの第２のボタンが選択されずに前記第１のボタンの選択が解除された場合、前記一時記憶手段に記憶されたパラメータ情報を前記記憶手段に記憶させることを特徴とする。
【０００８】
請求項３に記載の発明は、請求項１又は２に記載の発明において、
前記パラメータ情報は、前記医用画像の階調処理に関わるウィンドウ値、前記医用画像の大きさに関わる拡大縮小値、前記医用画像の任意の２点の距離を示す計測値、又は前記医用画像の表示位置を示すパンニング値のいずれかであることを特徴とする。
【０００９】
請求項４に記載の発明は、
医用画像を表示する表示手段と、前記表示手段に表示された医用画像の表示形態に関するパラメータ情報を記憶する記憶手段と、前記パラメータ情報を一時的に記憶する一時記憶手段と、第１のボタンと第２のボタンを備えたマウスと、を備えたコンピュータの医用画像を表示する方法であって、
前記コンピュータによって、前記マウスの第１のボタンが選択された場合、前記マウスの移動量に応じて前記一時記憶手段に記憶されたパラメータ情報を変更し、当該変更されたパラメータ情報に基づいて前記表示手段に医用画像を表示させ、前記マウスの第１のボタンが選択された状態で更に第２のボタンが選択された場合、前記記憶手段に記憶されたパラメータ情報を前記一時記憶手段に記憶させ、当該記憶させたパラメータ情報に基づいて前記表示手段に医用画像を表示する工程を有することを特徴とする。
【００１０】
請求項５に記載の発明は、
医用画像を表示する表示手段と、前記表示手段に表示された医用画像の表示形態に関するパラメータ情報を記憶する記憶手段と、前記パラメータ情報を一時的に記憶する一時記憶手段と、第１のボタンと第２のボタンを備えたマウスと、を備えたコンピュータを、
前記マウスの第１のボタンが選択された場合、前記マウスの移動量に応じて前記一時記憶手段に記憶されたパラメータ情報を変更し、当該変更されたパラメータ情報に基づいて前記表示手段に医用画像を表示させ、前記マウスの第１のボタンが選択された状態で更に第２のボタンが選択された場合、前記記憶手段に記憶されたパラメータ情報を前記一時記憶手段に記憶させ、当該記憶させたパラメータ情報に基づいて前記表示手段に医用画像を表示する制御手段として機能させることを特徴とする。
【発明の効果】
【００１１】
本発明によれば、医用画像の表示形態を容易に元に戻すことができるようになる。
【発明を実施するための最良の形態】
【００１２】
以下、図を参照して本発明の実施の形態を詳細に説明する。図１は、本発明に関わる医用画像表示装置を適用した医用画像管理システム１のシステム構成を示すブロック図である。
【００１３】
図１に示すように、医用画像管理システム１は、管理サーバ１０、医用画像表示装置２０、モダリティ３０、ＤＢサーバ４０、フィルム出力装置５０により構成されている。医用画像管理システム１の各構成装置はネットワークＮを介して互いにデータ送受信可能に接続されている。ネットワークＮは、ＤＩＣＯＭ（Digital Imaging and Communication in Medicine）規格に従ったＬＡＮ（Local Area Network）である。
以下、医用画像管理システム１の各構成装置について説明する。
【００１４】
管理サーバ１０は、モダリティ３０により生成された医用画像を患者情報と対応付けてＤＢサーバ４０に記憶させたり、ＤＢサーバ４０に記憶された各種処理データの管理を統括的に行うためのものである。管理サーバ１０は、ＣＰＵやＲＡＭ等から構成され、一般的なＰＣよりも高性能なＷＳ（Work Station）であることが望ましい。
【００１５】
医用画像表示装置２０は、医師による医用画像の読影時に用いられるものである。図２に、医用画像表示装置２０の構成を示す。図２に示すように、医用画像表示装置２０は、制御部２１、表示部２２、通信部２３、操作部２４、記憶部２５、ＲＡＭ２６等を備えて構成されている。
【００１６】
制御部２１は、ＣＰＵ（Central Processing Unit）等を備えて構成され、記憶部２５に記憶されている各種制御プログラムを読み出してＲＡＭ２６に展開し、これら制御プログラムとの協働により各種演算を行うとともに医用画像表示装置２０を構成する各部の集中制御を行う。
【００１７】
表示部２２は、例えば、ＣＲＴ（Cathode Ray Tube）やＬＣＤ（Liquid Crystal Display）等のモニタから構成される。表示部２２は、医用画像やレポートデータ等の各種処理データを含むビューア画面Ｇ１を表示する。
【００１８】
図３に、表示部２２に表示されるビューア画面Ｇ１の一例を示す。ビューア画面Ｇ１とは、診断に用いる医用画像を表示し、医師が読影診断や患者に対するインフォームドコンセントを行う際に用いられるものである。
医師は、ビューア画面Ｇ１に表示させる医用画像の患者を指定するために、患者の一覧を含む患者情報リスト画面（図示せず）から診断すべき患者を操作部２４より選択する。この患者を識別するための患者ＩＤがＤＢサーバ４０に対して送信される。ＤＢサーバ４０においては、受信した患者ＩＤに対応する患者の医用画像とパラメータ情報（詳細後述）が医用画像表示装置２０に対して送信され、この医用画像を受信した医用画像表示装置２０は表示部２２にビューア画面Ｇ１を表示させる。以降では、ビューア画面Ｇ１に含まれる医用画像に対応する患者を診断対象患者という。
【００１９】
図３に示すように、ビューア画面Ｇ１は、ビューア画面Ｇ１に表示すべき医用画像を指定等するためのメニュータグ１００、マウス２４ａによる操作の機能指定をするための機能指定ボタン１０１、診断対象患者の医用画像を表示するための画像表示欄１０２等から構成される。
【００２０】
画像表示欄１０２に表示される各医用画像に重畳させて、これらの医用画像の表示形態に関するパラメータ情報が表示される。パラメータ情報として、例えば、医用画像の階調処理に関するウィンドウ値、医用画像を拡大・縮小した際の大きさを示す拡大縮小値、医用画像に含まれる患部の大きさの計測値、医用画像の表示位置に関するパンニング値がある。ウィンドウ値とは表示部２２に表示させる医用画像の輝度に関するパラメータであって、ウィンドウワイド（Window Wide；以下、ＷＷという）とウィンドウセンター（Window Center；以下、ＷＣという）の２値を含む。ＷＷは表示部２２に表示する医用画像の輝度の幅を示し、ＷＣはこの幅の中心を示す。
【００２１】
これらのパラメータ情報は、それぞれウィンドウ値表示欄１０２ａ、拡大縮小値表示欄１０２ｂ、計測値表示欄１０２ｃ、パンニング値表示欄１０２ｄに表示される。
なお、パラメータ情報はビューア画面Ｇ１に表示させる医用画像の表示形態に関する情報であればよく、上述した例に限られない。例えば、医用画像を白黒反転して表示させているか否かを示す情報や、医用画像を回転させて表示させた場合には回転角度等の情報であってもよい。
【００２２】
機能指定ボタン１０１は、階調処理ボタン１０１ａ、拡大縮小ボタン１０１ｂ、計測ボタン１０１ｃ、パンニングボタン１０１ｄから構成される。なお、機能指定ボタン１０１は予め記憶部２５に定められたマウス２４ａの機能に対応するボタンによって構成されればよく、本実施の形態における例に限られない。
【００２３】
階調処理ボタン１０１ａが操作部３４からの入力によって選択され、画像表示欄１０２に表示された医用画像にマウスポインタを合わせた状態でマウス２４ａによる操作入力が行われると、この医用画像に対応するウィンドウ値が変更される。例えば、画像表示欄１０２の医用画像上でマウス２４ａの左ボタンをボタンダウンし、そのまま上下左右のいずれかへドラッグすると、マウスの移動量に応じてウィンドウ値が変更される。変更されたウィンドウ値に基づいて医用画像の階調処理が行われ、この医用画像に対応するウィンドウ値表示欄１０２ａに適宜変更されたウィンドウ値が反映されて表示される。
【００２４】
拡大縮小ボタン１０１ｂが操作部３４からの入力によって選択され、画像表示欄１０２に表示された医用画像にマウスポインタを合わせた状態でマウス２４ａによる操作入力が行われると、この医用画像に対応する拡大縮小値が変更される。例えば、画像表示欄１０２の医用画像上でマウス２４ａの左ボタンをボタンダウンし、そのまま上下左右のいずれかへドラッグすると、マウスの移動量に応じて拡大縮小値が変更される。変更された拡大縮小値に基づいて医用画像の拡大又は縮小が行われ、この医用画像に対応するウィンドウ値表示欄１０２ａに適宜変更された拡大縮小値が反映されて表示される。
【００２５】
計測ボタン１０１ｃが操作部３４からの入力によって選択され、画像表示欄１０２に表示された医用画像にマウスポインタを合わせた状態でマウス２４ａによる操作入力が行われると、この医用画像の計測が行われる。例えば、画像表示欄１０２の医用画像上でマウス２４ａの左ボタンをボタンダウンし、そのまま上下左右のいずれかへドラッグすると、左クリックした地点から現在マウスポインタがある地点までの距離が計測される。この計測値は、この医用画像に対応する計測値表示欄１０２ｃに適宜値が反映されて表示される。
【００２６】
パンニングボタン１０１ｄが操作部３４からの入力によって選択され、画像表示欄１０２に表示された医用画像にマウスポインタを合わせた状態でマウス２４ａによる操作入力が行われると、この医用画像のパンニングが行われる。パンニングとは医用画像の表示位置を変更（移動）することである。例えば、画像表示欄１０２の医用画像上でマウス２４ａの左ボタンをボタンダウンし、そのまま上下左右のいずれかへドラッグすると、マウス２４ａの移動量に応じて医用画像が上下左右にパンニングされる。この医用画像に対応するパンニング値表示欄１０２ｄに適宜変更されたパンニング値が反映されて表示される。
【００２７】
通信部２３は、通信用インターフェイスを備え、ネットワークＮ上の外部装置と通信を行う。例えば、管理サーバ１０に医用画像等の処理データを要求する要求情報を送信し、ＤＢサーバ４０から対象となるデータを受信する。
【００２８】
操作部２４は、カーソルキー、数字入力キー、及び各種機能キー等を備えたキーボード（図示せず）と、マウス２４ａを備えて構成される。マウス２４ａは、第１のボタンと第２のボタンを含む少なくとも２つのボタンから構成され、押下されたそれぞれのボタンの信号や、マウス２４ａをドラッグさせた際の操作信号を、制御部２１に出力する。
【００２９】
記憶部２５は、ＨＤＤ（Hard Disc）や半導体の不揮発性メモリにより構成されている。記憶部２５は、ビューア画面Ｇ１に表示させる際にＤＢサーバ４０から取得した医用画像のパラメータ情報を記憶する。他にも、記憶部２５は制御部２１において実行される各種制御プログラム、後述する表示変更キャンセル処理のプログラムの他、プログラムの実行に必要なパラメータ、データ等を記憶している。
【００３０】
ＲＡＭ２６は、制御部２１により実行制御される各種処理において、記憶部２５から読み出された各種プログラム、入力データ、出力データ、及びビューア画面Ｇ１に表示された医用画像のパラメータ情報等を一時的に記憶するワークエリアとして機能する。
【００３１】
モダリティ３０は、患者を撮影して医用画像を生成する。モダリティ３０としては、Ｘ線撮影装置、ＣＴ（Computed Tomography）撮影装置、ＭＲＩ（Magnetic Resonance Imaging）撮影装置、超音波／内視鏡撮影装置等、様々なものが挙げられる。
モダリティ３０によって撮影された医用画像は、ＤＢサーバ４０に対して送信される。なお、モダリティ３０は医用画像に関する情報を医用画像に付加する。医用画像に関する情報としては、例えば患者を識別する患者ＩＤ、患者の氏名、年齢等の患者情報や、検査日（撮影日）、モダリティ名、部位名、撮影条件等の画像詳細情報が挙げられる。これらの情報はモダリティ３０において撮影技師が入力するようにしてもよいし、図示しない外部装置から入力されるようにしてもよい。
【００３２】
ＤＢサーバ４０は、大容量メモリを備えて構成され、患者の一覧データや、モダリティ３０により撮影された患者及び検査の情報に対応付けられた医用画像、医用画像のパラメータ情報、検査の一覧データ、医師の診断の内容が記載されたレポートデータ、患者情報等を記憶している。ＤＢサーバ４０は、管理サーバ１０や画像表示装置２０からの要求に従ってデータを要求元の各装置に対して出力する。
【００３３】
フィルム出力装置５０は、ＤＢサーバ４０から送信された医用画像に基づいて、透過型記録媒体（フィルム）にレーザ露光することによって潜像を記録し、熱現象処理により潜像を可視化する光熱銀塩方式のプリンタである。
【００３４】
次に、本実施の形態における医用画像表示装置２０の動作について説明する。
図４に、操作部２４からビューア画面Ｇ１の表示指示が制御部２１に対して入力された際に、制御部２１によって実行される表示変更キャンセル処理のフローチャートを示す。表示変更キャンセル処理は、制御部２１と記憶部２５に記憶されているプログラムとの協働により実行される。
【００３５】
まず、表示部２２にビューア画面Ｇ１が表示される（ステップＳ１）。ステップＳ１においては、ＤＢサーバ４０から取得された医用画像のパラメータ情報が記憶部２５に記憶され、ＲＡＭ２６に一時的にこのパラメータ情報が記憶される。
ビューア画面Ｇ１の機能指定ボタン１０１に対して操作部２４からマウス２４ａの機能指定が入力されたか否かが判断される（ステップＳ２）。操作部２４からマウス２４ａの機能指定が入力されたと判断された場合（ステップＳ２；ＹＥＳ）、この入力にしたがって機能が設定される（ステップＳ３）。
【００３６】
操作部２４からマウス２４ａの機能指定が入力されたと判断されない場合（ステップＳ２；ＮＯ）、設定されている機能がマウスドラッグを使用する機能であるか否かが判断される（ステップＳ４）。ステップＳ４においては、マウスドラッグを使用する機能であるか否かを示す情報がマウス２４ａの機能毎に予め記憶部２５に記憶されており、この情報が読み出されることによって判断される。
【００３７】
マウスドラッグを使用する機能であると判断された場合（ステップＳ４；ＹＥＳ）、マウス２４ａの第１のボタンが選択されたか否かが判断される（ステップＳ５）。例えば、マウス２４ａに対応するマウスポインタを画像表示欄１０２の医用画像に合わせ、マウス２４ａの左ボタンをボタンダウンする等をいう。
【００３８】
マウス２４ａの第１のボタンが選択されたと判断された場合（ステップＳ５；ＹＥＳ）、マウス２４ａがマウスドラッグされたか否かが判断される（ステップＳ６）。マウス２４ａがマウスドラッグされたと判断された場合（ステップＳ６；ＹＥＳ）、マウス２４ａの移動量に応じてＲＡＭ２６に記憶されたパラメータ情報が変更される（ステップＳ７）。この変更されたパラメータ情報に基づいて表示部２２に表示された医用画像の表示形態が変更される（ステップＳ８）。
【００３９】
マウス２４ａがマウスドラッグされたと判断されない場合（ステップＳ６；ＮＯ）、マウス２４ａの第２のボタンが選択されたか否かが判断される（ステップＳ９）。例えば、マウス２４ａの右ボタンをボタンダウンする等をいう。
【００４０】
マウス２４ａの第２のボタンが選択されたと判断された場合（ステップＳ９；ＹＥＳ）、記憶部２５に記憶されたパラメータ情報がＲＡＭ２６に記憶される（ステップＳ１０）。ＲＡＭ２６に記憶されたパラメータ情報に基づいて表示部２２に表示された医用画像の表示が変更され（ステップＳ１１）、処理はステップＳ６に戻り、マウス２４ａがマウスドラッグされたか否かが判断される。ステップＳ１１においては、ステップＳ５において第１のボタンが選択される直前の医用画像の表示形態に戻る。
【００４１】
マウス２４ａの第２のボタンが選択されたと判断されない場合（ステップＳ９；ＮＯ）、マウス２４ａの第１のボタンの選択が解除されたか否かが判断される（ステップＳ１２）。例えば、マウス２４ａの左ボタンをボタンアップする等をいう。
【００４２】
マウス２４ａの第１のボタンの選択が解除されたと判断されない場合（ステップＳ１２；ＮＯ）、処理はステップＳ６に戻り、マウス２４ａがマウスドラッグされたか否かが判断される。
マウス２４ａの第１のボタンの選択が解除されたと判断された場合（ステップＳ１２；ＹＥＳ）、ＲＡＭ２６に記憶されたパラメータ情報が記憶部２５に記憶される（ステップＳ１３）。
【００４３】
一方、マウスドラッグを使用する機能であると判断されない場合（ステップＳ４；ＮＯ）、マウス２４ａの第１のボタンが選択されたと判断されない場合（ステップＳ５；ＮＯ）、操作部２４からビューア画面Ｇ１の終了指示が入力されたか否かが判断される（ステップＳ１４）。
【００４４】
操作部２４からビューア画面Ｇ１の終了指示が入力されたと判断されない場合（ステップＳ１４；ＮＯ）、ステップＳ２に戻り、ビューア画面Ｇ１の機能指定ボタン１０１に対して操作部３４から機能指定が入力されたか否かが判断される。
操作部２４からビューア画面Ｇ１の終了指示が入力されたと判断された場合（ステップＳ１４；ＮＯ）、処理は終了する。
【００４５】
図５にステップＳ２において、階調処理ボタン１０１ａが操作部２４から選択されたと判断され、ステップＳ３において、階調処理の機能が設定された場合に表示変更キャンセル処理が実行された場合の画像表示欄１０２の医用画像の一例を示す。
【００４６】
図５（ａ）に、ステップＳ５において第１のボタンが選択されたと判断された際に画像表示欄１０２に表示される医用画像を示す。第１のボタンが選択された際のウィンドウ値は、「４００／５０」である。
図５（ｂ）に、ステップＳ８において表示される画像表示欄１０２の医用画像を示す。マウス２４ａのマウスドラッグの移動量に応じてウィンドウ値が変更され、「７７０／５０」となっている。医用画像に対し、変更されたウィンドウ値に応じて階調処理が行われて画像表示欄１０２に表示される。
図５（ｃ）に、ステップＳ１０においてパラメータ情報が元に戻った際の画像表示欄１０２の医用画像を示す。図５（ｂ）に示す状態で、第２のボタンが選択された場合、マウスポインタＭは図５（ｂ）の位置のままであり、図５（ａ）のウィンドウ値に戻る。このウィンドウ値に応じて医用画像の階調処理が行われて画像表示欄１０２に表示される。
【００４７】
図６にステップＳ２において、拡大縮小ボタン１０１ｂが操作部２４から選択されたと判断され、ステップＳ３において、医用画像の拡大縮小の機能が設定された場合に表示変更キャンセル処理が実行された場合の画像表示欄１０２の医用画像の一例を示す。
【００４８】
図６（ａ）に、ステップＳ５において第１のボタンが選択されたと判断された際に画像表示欄１０２に表示される医用画像を示す。第１のボタンが選択された際の拡大縮小値は、「１００％」である。
図６（ｂ）に、ステップＳ８において表示される画像表示欄１０２の医用画像を示す。マウス２４ａのマウスドラッグの移動量に応じて拡大縮小値が変更され、「１５０％」となっている。医用画像に対し、変更された拡大縮小値に応じて階調処理が行われて画像表示欄１０２に表示される。
図６（ｃ）に、ステップＳ１０においてパラメータ情報が元に戻った際の画像表示欄１０２の医用画像を示す。図６（ｂ）に示す状態で、第２のボタンが選択された場合、マウスポインタＭは図６（ｂ）の位置のままであり、図６（ａ）の拡大縮小値に戻る。この拡大縮小値に応じて医用画像の拡大処理又は縮小処理が行われて画像表示欄１０２に表示される。
【００４９】
図７にステップＳ２において、計測ボタン１０１ｃが操作部２４から選択されたと判断され、ステップＳ３において、医用画像の計測の機能が設定された場合に表示変更キャンセル処理が実行された場合の画像表示欄１０２の医用画像の一例を示す。
【００５０】
図７（ａ）に、ステップＳ５において第１のボタンが選択されたと判断された際に画像表示欄１０２に表示される医用画像を示す。第１の指示入力がされた際には、まだ計測が行われていないので計測値は、「−ｍｍ」である。
図７（ｂ）に、ステップＳ８において表示される画像表示欄１０２の医用画像を示す。マウス２４ａのマウスドラッグの移動量に応じて計測が行われ、「２００ｍｍ」となっている。医用画像に対し、計測が行われた地点同士を結んだ線が医用画像に重畳して画像表示欄１０２に表示される。
図７（ｃ）に、ステップＳ１０においてパラメータ情報が元に戻った際の画像表示欄１０２の医用画像を示す。図７（ｂ）に示す状態で、第２のボタンが選択された場合、マウスポインタＭは図７（ｂ）の位置のままであり、図７（ａ）の計測値に戻る。
【００５１】
図８にステップＳ２において、パンニングボタン１０１ｄが操作部２４から選択されたと判断され、ステップＳ３において、パンニングの機能が設定された場合に表示変更キャンセル処理が実行された場合の画像表示欄１０２の医用画像の一例を示す。
【００５２】
図８（ａ）に、ステップＳ５において第１のボタンが選択されたと判断された際に画像表示欄１０２に表示される医用画像を示す。第１のボタンが選択された際のパンニング値は、「（０，０）」である。
図８（ｂ）に、ステップＳ８において表示される画像表示欄１０２の医用画像を示す。マウス２４ａのマウスドラッグの移動量に応じてパンニング値が変更され、「（０，−２０）」となっている。医用画像に対し、変更されたパンニング値に応じてパンニング処理が行われて画像表示欄１０２に表示される。
図８（ｃ）に、ステップＳ１０においてパラメータ情報が元に戻った際の画像表示欄１０２の医用画像を示す。図８（ｂ）に示す状態で、第２のボタンが選択された場合、マウスポインタは図８（ｂ）の位置のままであり、図８（ａ）のパンニング値に戻る。このパンニング値に応じて医用画像のパンニング処理が行われて画像表示欄１０２に表示される。
【００５３】
以上のように、本実施の形態における医用画像表示装置２０によれば、表示変更キャンセル処理によって、表示部２２のビューア画面Ｇ１に表示された医用画像の表示形態の変更をキャンセルすることができる。マウス２４ａの第２のボタンが選択された際に、第１のボタンが選択される直前の表示形態に医用画像を戻すため、医師は一時的に医用画像の表示形態を変更したり、誤操作のために変更された表示形態を元に戻したい場合等に、簡易な操作によって表示形態を元の状態に戻すことができる。
【００５４】
また、第１のボタンの選択が解除された際に表示形態の変更を確定させるため、医師は任意のタイミングで表示形態の変更の確定を指示することができる。
【００５５】
また、医用画像の階調処理の変更を第２のボタンの選択によってキャンセルすることによって、医師は一時的に階調を変更させて医用画像の読影を行い、元の階調に戻すことができる。医用画像の表示の大きさの変更を第２の指示でキャンセルすることによって、医師は一時的に医用画像を大きく表示させて読影を行い、すぐにもとの状態に戻すことができる。医用画像の任意の２点を一時的に計測して読影を行い、元の表示状態に戻すことができ、いちいち計測の際に描かれた線を消す手間が省ける。医用画像を一時的にパンニングさせて読影を行い、元の状態に戻すことができる。
【００５６】
なお、上述した本実施の形態における記述は、本発明に係る好適な医用画像表示装置の一例であり、これに限定されるものではない。
例えば、第１のボタンはマウスの左ボタンであり、第２のボタンはマウスの右ボタンとして説明したが、マウスに備えられた複数のボタンを第１のボタンと第２のボタンとすればよく、これに限られない。例えば、ボタンが３つあるマウスの場合、この３つのボタンのうち予め定められたボタンをそれぞれ第１のボタン、第２のボタンとしてもよい。
【００５７】
また、本実施の形態における表示変更キャンセル処理のステップＳ９において、マウスの右ボタンがボタンダウンされることにより第２のボタンが選択されたと判断するようにしたが、第２のボタンに対する予め定められた操作入力がされたか否かによって判断されればよく、これに限られない。例えば、第２のボタンが右クリックされると、第２のボタンが選択されたと判断されるようにしてもよい。ステップＳ５の第１のボタンの選択とステップＳ１２の第１のボタンの解除の判断も同様に、本実施の形態における例に限られない。
【００５８】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００５９】
その他、医用画像表示装置を構成する各装置の細部構成及び細部動作に関しても、本発明の趣旨を逸脱することのない範囲で適宜変更可能である。
【図面の簡単な説明】
【００６０】
【図１】本実施の形態における医用画像管理システムの全体構成例を示す図である。
【図２】図１の医用画像表示装置の機能的構成を示す要部ブロック図である。
【図３】図２の表示部に表示されるビューア画面の一例を示す図である。
【図４】図１の医用画像表示装置によって実行される表示変更キャンセル処理のフローチャートを示す図である。
【図５】階調処理ボタンが選択されて表示変更キャンセル処理が実行された際に図１の表示部に表示される医用画像の表示形態の変化の一例を示す図である。
【図６】拡大縮小ボタンが選択されて表示変更キャンセル処理が実行された際に図１の表示部に表示される医用画像の表示形態の変化の一例を示す図である。
【図７】計測ボタンが選択されて表示変更キャンセル処理が実行された際に図１の表示部に表示される医用画像の表示形態の変化の一例を示す図である。
【図８】パンニングボタンが選択されて表示変更キャンセル処理が実行された際に図１の表示部に表示される医用画像の表示形態の変化の一例を示す図である。
【符号の説明】
【００６１】
１  医用画像管理システム
１０  管理サーバ
２０  医用画像表示装置
３０  モダリティ
４０  ＤＢサーバ
５０  フィルム出力装置
Ｎ  ネットワーク
２１  制御部
２２  表示部
２３  通信部
２４  操作部
２４ａ  マウス
２５  記憶部
２６  ＲＡＭ
【図１】
2010142600.tif 000003
【図２】
2010142600.tif 000004
【図４】
2010142600.tif 000005
【図３】
2010142600.tif 000006
【図５】
2010142600.tif 000007
【図６】
2010142600.tif 000008
【図７】
2010142600.tif 000009
【図８】
2010142600.tif 000010